(57)【要約】【課題】携帯電話機のアプリケーションの動作時間の飛躍的な延長を可能とする。【解決手段】基地局２００との通信が不可能な場所、例えば海外に居る場合、使用者のキー操作により、スイッチ１１０，１１１をオフとして、無線通信ブロック１０５の電源供給を、強制的かつ選択的にオフとすることで、電池１０１の消耗を抑制する。また、同様にスイッチ１１１を強制的にオフとして、ベースバンドブロック１０４と無線通信ブロック１０５との間の接続を断として、ベースバンドブロック１０４による無線通信ブロック１０５の制御をもオフとすることにより、ベースバンドブロック１０４の動作パフォーマンスが向上し、ひいてはアプリケーションの動作もスムーズとなる。【選択図】      図１
2004153480.tif 000002
【特許請求の範囲】
【請求項１】
基地局との間の無線通信機能を有する無線通信ブロックに対する電源の選択的なオンオフをなす第一のスイッチを含み、使用者のキー操作に応答して前記第一のスイッチのオンオフ制御をなすようにしたことを特徴とする携帯電話機。
【請求項２】
ベースバンド処理機能を有するベースバンドブロックと前記無線通信ブロックとの間の接続のオンオフをなす第二のスイッチを含み、前記使用者のキー操作に応答して前記第二のスイッチのオンオフ制御をなすようにしたことを特徴とする請求項１記載の携帯電話機。
【請求項３】
通話機能以外のアプリケーション処理機能部を有することを特徴とする請求項１または２記載の携帯電話機。
【請求項４】
基地局との間の無線通信機能を有する無線通信ブロックとベースバンド処理機能を有するベースバンドブロックとに対する電源の選択的なオンオフをなす第一のスイッチを含み、使用者のキー操作に応答して前記第一のスイッチのオンオフ制御をなすようにしたことを特徴とする携帯電話機。
【請求項５】
通話機能以外のアプリケーション処理機能を有するアプリケーションブロックを更に含み、前記アプリケーションブロックと前記ベースバンドブロックとの間の接続のオンオフをなす第二のスイッチを含み、前記使用者のキー操作に応答して前記第二のスイッチのオンオフ制御をなすようにしたことを特徴とする請求項４記載の携帯電話機。
【発明の詳細な説明】
【０００１】
【発明の属する技術分野】
本発明は携帯電話機に関し、特にバッテリーセービング機能を有する携帯電話機に関するものである。
【０００２】
【従来の技術】
最近の携帯電話機には、本来の通話機能以外の各種機能が備えられており、例えば、スケジュール管理機能、電卓機能、音楽再生機能、ゲーム機能、アラーム（目覚まし）機能、デジタルスチールカメラ機能等のアプリケーション機能が備えられたものが、広く普及している。この様な携帯電話機において、通話機能以外のアプリケーションを使用している最中においても、待受け機能は動作している。
【０００３】
上述した様な各種アプリケーション機能が携帯電話機に備えられているために、海外旅行へ出かけた場合にも、当該携帯電話機を携帯することになるが、海外では通話できる基地局が存在していないために、携帯電話機は、常時、最大送信電力で基地局と通信を行うことになる。その結果、電池消耗が激しくなり、携帯電話機が有するアプリケーションを使用できる時間が極端に短くなる恐れがある。また、アプリケーションを使用する際に電源を入れ、使用しないときには、電源を切る等の操作を行えば、電池の消耗は回避できるものの、アラーム（目覚まし）機能の使用中は電源を切っておくことはできない。
【０００４】
携帯電話機におけるバッテリーセービング機能の例としては、受信機以外への呼出信号が受信される間は、当該受信機の電源を切断する方式のものがある（特許文献１参照）。この方式によれば、呼出信号の受信をトリガとして、その間、当該受信機の電源を切断するものである。また、受信動作時における入力電界が所定レベルより連続して低くなったときに、全ての受信動作を所定時間停止させる方式のものがある（特許文献２参照）。
【０００５】
【特許文献１】
特開昭５７−５４４４２号公報（第２、３頁、第２図及び第３図）
【０００６】
【特許文献２】
特開平４−３５５５２４号公報（第２頁、図１）
【０００７】
【発明が解決しようとする課題】
上述した特許文献１及び２の技術においては、呼出信号の受信は間欠的に行う必要があるために、連続して完全に電源を切断することは不可能である。また、これ等特許文献１，２の両技術においては、通話機能以外のアプリケーション機能を備えた携帯電話機については、何等言及がなく、よってその対応は考慮されていないものである。
【０００８】
本発明の目的は、アプリケーションを使用できる時間を飛躍的に延ばすことが可能な携帯電話機を提供することである。
【０００９】
本発明の他の目的は、海外旅行等で通話可能なエリア内に在圏していない場合に、受信待受けによる電池の消耗をなくすことが可能な携帯電話機を提供することである。
【００１０】
【課題を解決するための手段】
本発明による携帯電話機は、基地局との間の無線通信機能を有する無線通信ブロックへの電源の選択的なオンオフをなす第一のスイッチを含み、使用者のキー操作に応答して前記第一のスイッチのオンオフ制御をなすようにしたことを特徴とする。更に、ベースバンド処理機能を有するベースバンドブロックと前記無線通信ブロックとの間の接続のオンオフをなす第二のスイッチを含み、前記使用者のキー操作に応答して前記第二のスイッチのオンオフ制御をなすようにしたことを特徴とし、また通話機能以外のアプリケーション処理機能を有するアプリケーションブロックを含むことを特徴とする。
【００１１】
本発明による他の携帯電話機は、基地局との間の無線通信機能を有する無線通信ブロックとベースバンド処理機能を有するベースバンドブロックとへの選択的な電源のオンオフをなす第一のスイッチを含み、使用者のキー操作に応答して前記第一のスイッチのオンオフ制御をなすようにしたことを特徴とする。
【００１２】
更に、通話機能以外のアプリケーション処理機能を有するアプリケーションブロックを含み、前記アプリケーションブロックと前記ベースバンドブロックとの間の接続のオンオフをなす第二のスイッチを含み、前記使用者のキー操作に応答して前記第二のスイッチのオンオフ制御をなすようにしたことを特徴とする。
【００１３】
本発明の作用を述べる。携帯電話機の無線通信ブロックへの電源オンオフをなすスイッチを設け、使用者のキー操作により、このスイッチのオンオフ制御を可能とする。従って、通話圏外になったときには、使用者の意志で、スイッチをオフとして、無線通信ブロックへの電源を選択的に常時オフとすることにより、アプリケーション機能は動作可能であるので、当該アプリケーションの動作時間が飛躍的に向上する。更に、ベースバンドブロックへの電源供給をも、使用者のキー操作により、選択的にオフにするよう構成すれば、更なる消費電力の削減が可能となる。
【００１４】
【発明の実施の形態】
以下に図面を用いて本発明の実施例について説明する。図１は本発明の一実施例の概略機能ブロック図である。本実施例の携帯電話機１００は、電池１０１と、電源ブロック１０２と、ベースバンドブロック１０４と、無線通信部１０５と、ＬＣＤ表示部１０６と、キー操作部１０７と、カメラ部１０８と、記録媒体１０９と、第一及び第二のスイッチ１１０及び１１１と、電源ライン１１２とを有している。
【００１５】
電池１０１は充電可能な二次電池であり、携帯電話機１００の動作用電源である。電池ブロック１０２は、この電池１０１の電源を各部へ電源ライン１１２を介して供給すると共に、電池１０１の充電制御を行う。ベースバンドブロック１０４は通話用信号やデータのベースバンド処理をなす機能を有しており、通話機能以外の各種アプリケーション機能をも有しており、例えば、スケジュール管理機能、電卓機能、記録媒体１０９に記録されている音楽等の再生機能、ゲーム機能、アラーム機能、カメラ１０８による画像処理機能等を有するものとする。
【００１６】
無線通信ブロック１０５は基地局２００との間の無線通信機能を有する。表示部１０６はＬＣＤ表示であり、使用者に対する情報の可視表示を行う。キー操作部１０７は使用者とのインタフェースをなすものであって、各種キーの集合からなっている。カメラ１０８はＣＣＤ撮像機能を有し、記録媒体１０９はＳＤカードやメモリスティック等の、携帯電話機１００に対して着脱自在な構造を有しており、主に音楽データやカメラ１０８から取込んだ画像データを格納することができる。
【００１７】
第一のスイッチ１１０はベースバンドブロック１０４からの制御信号によりオンオフ可能なスイッチであり、電源ブロック１０２から無線通信ブロック１０５への電源供給をオンオフするものである。第二のスイッチ１１１はベースバンドブロック１０４からの制御信号によりオンオフ可能なスイッチであり、ベースバンドブロック１０４と無線通信ブロック１０５との間の通信をオンオフするためのものである。
【００１８】
かかる構成において、スイッチ１１０及び１１１は、ベースバンドブロック１０４からの制御により、双方共にオンとなっており、電源ブロック１０２は無線通信ブロック１０５に対して電源供給を行っている。同時に、無線通信ブロック１０５はベースバンドブロック１０４の制御に従って周囲の基地局２００と間欠的に通信を行い、受信待受け状態にある。
【００１９】
この状態において、受信及び送信の動作が可能であることは勿論であるが、同時にベースバンドブロック１０４は各種アプリケーション機能の動作も可能となっている。この状態では、電池１０１の消耗は激しくなり、よってアプリケーションの動作時間が短縮されることになる。
【００２０】
この様なアプリケーション機能が豊富に搭載された携帯電話機１００は、当然に海外旅行等の外出先でも使用者により使用される機会が多くなる。前述した如く、携帯電話機能１００は、常に周囲の基地局との間欠通信を行う関係上、海外等の通信不可能な場合であっても、無線通信ブロック１０５は、最大送信電力で基地局との通信を行うことになる。そのために、電池１０１の消耗は最大となり、アプリケーションの動作時間がそれだけ短縮されることになる。
【００２１】
そこで、携帯電話機１００の使用者が、海外等の通信不可能な場所に居るときには、キー操作部１０７の操作によって、スイッチ１１０及び１１１をオフとして、無線通信ブロック１０５への電源供給をオフとすると同時に、ベースバンドブロック１０４の無線通信ブロック１０５への制御を遮断（接続を断）することにより、無駄な無線通信ブロック１０５での電力消費をなくし、アプリケーションの動作時間を飛躍的に延ばすことが可能となる。
【００２２】
この様な動作は、携帯電話機１００の使用者がキー操作部１０７におけるキーを操作することにより、ベースバンドブロック１０４内の制御部（図示せず）がこれを検出してスイッチ１１０及び１１１のオフ制御信号を発生することにより実現される。スイッチ１１０と１１１とがオフになると、電源ブロック１０２から無線通信ブロック１０５への電源供給が選択的に遮断され、電池消耗がなくなり、更には、ベースバンドブロック１０４が無線通信ブロック１０５に対して行っていた制御もなくなるので、ベースバンドブロック１０４の動作パフォーマンスも向上し、ひいてはアプリケーションの動作よりも、スムーズに行われる。
【００２３】
なお、海外等の通信不可能な場所から通信可能な場所へ復帰した場合には、携帯電話機１００の使用者が、キー操作部１０７の操作によって、スイッチ１１０及び１１１をオン状態に戻すことにより、通信が可能になる。
【００２４】
図２は本発明の他の実施例の概略ブロック図であり、図１と同等部分は、同一符号により示している。図２において、図１と異なる部分は、ベースバンドブロック１０４からアプリケーションブロック１０３を分離している点と、電源オンオフスイッチである第一のスイッチ１１０を、無線通信ブロック１０５のみならず、ベースバンドブロック１０４への電源供給のオンオフ制御可能なように設けている点と、第二のスイッチ１１３をアプリケーションブロック１０３とベースバンドブロック１０４との間の接続のオンオフ制御が可能になるように設けている点である。また、これ等スイッチ１１０及び１１３をアプリケーションブロック１０３によりオンオフ制御する点も、図１の例と異なっている。他の構成は図１のそれと同じであり、説明は省略する。
【００２５】
図１の実施例では、ベースバンドブロック１０４にアプリケーション機能を含めているが、多くのアプリケーションが搭載されると、ベースバンドブロック１０４におけるデータの処理がそれだけ複雑化するので、図２の実施例では、ベースバンドブロック１０４は無線通信ブロック１０５を制御することだけにある程度絞り、それ以外のデータ処理はアプリケーションブロック１０３で処理する構成としているのである。
【００２６】
この様な構成において、先の実施例と同様に、使用者が通信不可能な場所に居るときには、キー操作部１０７の操作により、ベースバンドブロック１０４と無線通信ブロック１０５との電源オフを選択的にオフし、またアプリケーションブロック１０３のベースバンドブロック１０４への制御を遮断することによって、無駄な通信による電池の消耗を抑制し、アプリケーションの動作時間を飛躍的に延ばすことができる。
【００２７】
なお、アプリケーションブロック１０３がベースバンドブロック１０４とは全く独立して動作可能な場合には、両ブロック間の接続は元々不要であるので、スイッチ１１３も不要になることは勿論である。
【００２８】
【発明の効果】
以上述べた様に、本発明によれば、携帯電話機を所持する使用者が基地局との通信不可能な場所に居るときには、無線通信ブロックやベースバンドブロックの動作は不要であることから、使用者の意志により、これ等ブロックの動作を強制的に停止させるようにすべく、これ等ブロックへの電源供給を選択的にオフとするスイッチを設けたので、アプリケーションの動作時間が飛躍的に延び、その動作パフォーマンスも向上するという効果がある。
【図面の簡単な説明】
【図１】本発明の一実施例のブロック図である。
【図２】本発明の他の実施例のブロック図である。
【符号の説明】
１００                    携帯電話機
１０１                    電池
１０２                    電源ブロック
１０３                    アプリケーションブロック
１０４                    ベースバンドブロック
１０５                    無線通信ブロック
１０６                    表示部
１０７                    キー操作部
１０８                    カメラ
１０９                    記録媒体
１１０，１１１，１１３    スイッチ
１１２                    電源ライン
【図１】
2004153480.tif 000003
【図２】
2004153480.tif 000004